(57)【要約】【課題】フィルタに付着した塵埃を十分に落とすことのできる電気掃除機を提供することにある。【解決手段】集塵室に連通する負圧室５１と、大気に連通する大気圧室５２と、負圧室５１と大気圧室５２とを区画するとともにその負圧室と大気圧室との圧力差に応じて変位する隔壁５０と、この隔壁５０を大気圧室側へ付勢するスプリングＳＰと、前記集塵室またはこの集塵室に臨む位置に設けられる集塵フィルタ１９を叩打する叩き部材６０と、隔壁５０の変位に連動して移動する軸部材５６とを備え、前記電動送風機が停止した際に軸部材５６が移動して叩き部材６０に衝突することによりその叩き部材６０に衝撃を与えて集塵フィルタ１９に付着した塵埃を落とす電気掃除機であって、軸部材５６の移動によって回転する回転部材１００を設け、この回転部材１００を回転させることにより軸部材５６が移動を開始してから叩き部材６０に衝突するまでの間にタイムラグを発生させる。【選択図】図３
2007130292.tif 000002
【特許請求の範囲】
【請求項１】
塵埃を集塵するための集塵室と、この集塵室を負圧にする電動送風機と、前記集塵室に連通する負圧室と、大気に連通する大気圧室と、前記負圧室と大気圧室とを区画するとともにその負圧室と大気圧室との圧力差に応じて変位する隔壁と、この隔壁を大気圧室側へ付勢する付勢手段と、前記集塵室またはこの集塵室に臨む位置に設けられるフィルタを叩打する叩き部材と、前記隔壁の変位に連動して移動する移動部材とを備え、前記電動送風機が停止した際に前記移動部材が移動して前記叩き部材に衝突することによりその叩き部材に衝撃を与えて前記フィルタに付着した塵埃を落とす電気掃除機であって、
前記移動部材の移動によって回転する回転部材を設け、
前記移動部材が移動を開始してから前記叩き部材に衝突するまでの間に、前記回転部材を回転させることによって、タイムラグを発生させることを特徴とする電気掃除機。
【請求項２】
棒状の前記移動部材の一端を前記隔壁に固定し、
この移動部材の他端側の外周囲に円筒状の前記回転部材を回動自在に取り付け、
その回転部材の外周面に螺旋状の溝を形成し、
この溝に係合するとともに、前記移動部材の移動によって前記溝内に沿って相対移動可能な突起を掃除機本体側に固定し、
前記移動部材の移動により前記突起が前記溝内を相対移動することによって前記回転部材が回転することを特徴とする請求項１に記載の電気掃除機。
【発明の詳細な説明】
【技術分野】
【０００１】
この発明は、叩打装置により例えば集塵フィルタを叩くようにした電気掃除機に関する。
【背景技術】
【０００２】
従来から、集塵フィルタの下流に二次フィルタであるプリーツフィルタを配置し、このプリーツフィルタに振動を与える振動手段を設けた電気掃除機が知られている（例えば特許文献１参照）。
【０００３】
かかる電気掃除機は、電源コードの巻き取り動作に連動して振動手段がプリーツフィルタに振動を与えるようになっており、この振動によりプリーツフィルタに付着した塵埃をふるい落とすようになっている。
【特許文献１】特開２００４−１８０７６７号公報（段落３４〜３８,段落５０〜５２）
【発明の開示】
【発明が解決しようとする課題】
【０００４】
ところで、このような電気掃除機にあっては、電源コードが巻き取られるとき、すなわち、掃除が終わって電源コードを巻き取るときにプリーツフィルタに振動が与えられるものであるから、１回の掃除で振動が与えられるのは電源コードを巻き取るときだけである。このため、プリーツフィルタに付着した塵埃を十分に落とすことができないという問題があった。特に、紙パックフィルタに上記振動手段を適用しても、紙パックフィルタに付着する塵埃が多いことにより、紙パックフィルタに付着した塵埃を十分に落とすことができない。
【０００５】
そこで、電動送風機がオフされる毎に、集塵室の負圧と大気圧の圧力差を利用して叩打装置を作動させ、この叩打装置によって紙パックフィルタに振動を与えて紙パックフィルタに付着した塵埃を落とす電気掃除機が提案されている。
【０００６】
しかし、このような電気掃除機にあっては、電動送風機がオフされる直後に叩打装置が作動されるため、その直後では電動送風機による塵埃吸引力が大きく作用しており、紙パックフィルタに付着した塵埃を十分に落とすことができないという問題がある。
【０００７】
この発明の目的は、フィルタに付着した塵埃を十分に落とすことのできる電気掃除機を提供することにある。
【課題を解決するための手段】
【０００８】
請求項１の発明は、塵埃を集塵するための集塵室と、この集塵室を負圧にする電動送風機と、前記集塵室に連通する負圧室と、大気に連通する大気圧室と、前記負圧室と大気圧室とを区画するとともにその負圧室と大気圧室との圧力差に応じて変位する隔壁と、この隔壁を大気圧室側へ付勢する付勢手段と、前記集塵室またはこの集塵室に臨む位置に設けられるフィルタを叩打する叩き部材と、前記隔壁の変位に連動して移動する移動部材とを備え、前記電動送風機が停止した際に前記移動部材が移動して前記叩き部材に衝突することによりその叩き部材に衝撃を与えて前記フィルタに付着した塵埃を落とす電気掃除機であって、
前記移動部材の移動によって回転する回転部材を設け、
前記移動部材が移動を開始してから前記叩き部材に衝突するまでの間に、前記回転部材を回転させることによって、タイムラグを発生させることを特徴とする。
【発明の効果】
【０００９】
この発明によれば、回転部材の回転によって、移動部材が移動を開始してから叩き部材に衝突するまでの間にタイムラグが発生するので、電動送風機による塵埃吸引力が十分に弱くなったときに、その移動部材を衝撃部材に衝突させることができ、このためフィルタに付着した塵埃を十分に落とすことができる。
【発明を実施するための最良の形態】
【００１０】
以下、この発明に係る電気掃除機の実施形態である実施例を図面に基づいて説明する。
【実施例】
【００１１】
図１に示す電気掃除機１０は、掃除機本体１１と、この掃除機本体１１内に設けた集塵室１２と、この集塵室１２を負圧にする電動送風機１３と、掃除機本体１１の前部に設けたホース接続口１１ａに一端が着脱可能に接続された集塵ホース１５と、この集塵ホース１５の他端に設けた手元操作管１７に着脱自在に接続された延長管１８と、この延長管１８の先端部に着脱自在に接続された吸込口体２０とを備えている。集塵室１２には、集塵フィルタ（塵埃付着体）１９が着脱可能に装着されている。集塵フィルタ１９は例えば紙パックフィルタまたは布製のパックフィルタである。
【００１２】
また、手元操作管１７には操作部１７Ａが設けられており、操作部１７Ａには複数の操作スイッチＳａが設けられている。
【００１３】
掃除機本体１１には、蓋ケース２１が後部側を回動中心にして開閉可能に装着されており、この蓋ケース２１は図２に示すように集塵室１２の上部開口１２Ａを覆っている。また、蓋ケース２１には集塵室１２を臨んで叩打装置３０が設けられている。
【００１４】
叩打装置３０は、図３に示すように、蓋ケース２１の凹部２１Ａに取り付けられたドーム状の半透明の表示ケース３１と、その凹部２１Ａに設けた開口２１ｂに取り付けられた下部ケース４０と、表示ケース３１と下部ケース４０との間に配置された隔壁５０と、表示ケース３１と隔壁５０との間に形成した負圧室５１と、隔壁５０と下部ケース４０との間に形成された大気圧室５２と、集塵フィルタ１９を叩打する叩き部材６０と、隔壁５０の変位とともに移動して叩き部材６０に衝突する軸部材（移動部材）５６と、下部ケース４０を下方から覆ったカバーケース７０等とを備えている。
【００１５】
表示ケース３１は、図３および図４に示すように、その裏面の中央部に形成した筒部３２と、この筒部３２の外側に形成した第１環状リブ３３と、さらにこの第１環状リブ３３の外側に形成した第２環状リブ３４等とを有している。そして、第１環状リブ３３と第２環状リブ３４との間には４つのリブ３５Ａ〜３５Ｄが形成され、リブ３５Ａとリブ３５Ｂとの間の表示ケース３１の部分には円弧状の穴３６が形成されている。また、第１環状リブ３３のリブ３５Ｃとリブ３５Ｄとの間に長孔３３Ａが形成されている。
【００１６】
下部ケース４０は、図３および図５に示すように、その上面の中央部に上方に突出した円筒部４１と、この円筒部４１の外側には上方（図３において）へ突出して形成された第１環状リブ４２と、この第１環状リブ４２の外側に形成された第２環状リブ４３等とを有している。
【００１７】
また、下部ケース４０の第１環状リブ４２と第２環状リブ４３との間には径方向に延びる４つのリブ４４Ａ〜４４Ｄが形成され、リブ４４Ａとリブ４４Ｂとの間の第１環状リブ４２には複数の孔４２ａが形成されている。また、リブ４４Ｃとリブ４４Ｄとの間の下部ケース４０には円弧状の穴４５が形成されている。
【００１８】
下部ケース４０の第１,第２環状リブ４２,４３は、図３に示すように表示ケース３１の第１,第２環状リブ３３,３４に対向しており、下部ケース４０のリブ４４Ａ〜４４Ｄも表示ケース３１のリブ３５Ａ〜３５Ｄに対向している。そして、下部ケース４０の第２環状リブ４３と表示ケース３１の第２環状リブ３４はシール部材Ｓ１を介して接合されている。
【００１９】
また、下部ケース４０の円筒部４１の周囲が当接部４０Ａとなっており、後述するキャップ部材５４のフランジ５４Ｂが当接している。そして、キャップ部材５４のフランジ５４Ｂが下部ケース４０の当接部４０Ａに衝突するときに音を発生するようになっており、そのフランジ５４Ｂと当接部４０Ａとで音発生手段が構成されている。
【００２０】
下部ケース４０の下面には、下方に延びた一対のアーム１４０，１４０が設けられており、このアーム１４０，１４０の下部には相対向した突起１４１，１４１が形成されている。
【００２１】
隔壁５０は、平面視がほぼ円形に形成された軟質の樹脂製のダイアフラム部５３と、このダイアフラム部５３の中央部に設けた穴５３Ａに取り付けたキャップ部材５４とを有している。
【００２２】
ダイアフラム部５３の外周縁には断面Ｈ形状のフランジ５３Ｆが形成され、このフランジ５３Ｆが表示ケース３１の第１環状リブ３３と下部ケース４０の第１環状リブ４２とに接合されている。
【００２３】
キャップ部材５４は、円筒状のキャップ５４Ａと、このキャップ５４Ａの下部に形成されたフランジ５４Ｂ等とを有し、フランジ５４Ｂの周縁部がダイアフラム部５３の穴５３Ａの縁部に一体に接合されている。キャップ５４Ａは下部ケース４０の円筒部４１に嵌合され、キャップ５４Ａは円筒部４１の軸線方向に沿って移動可能となっている。また、キャップ５４Ａは表示ケース３１の筒部３２内に進入可能となっている。表示ケース３１の筒部３２および隔壁５０のキャップ５４Ａにはスプリング（付勢手段）ＳＰが装着されており、隔壁５０が大気圧室５２側へ付勢されている。
【００２４】
そして、隔壁５０と表示ケース３１と第１環状リブ３３とで負圧室５１を区画形成し、隔壁５０と下部ケース４０と第１環状リブ４２とで大気圧室５２を区画形成している。負圧室５１は、表示ケース３１の第１環状リブ３３の長孔３３Ａと、下部ケース４０の穴４５を介して集塵室１２に連通している。大気圧室５２は、下部ケース４０の第１環状リブ４２の孔４２ａと、表示ケース３１の穴３６とを介して大気に連通している。
【００２５】
また、キャップ５４Ａの天板部５４ａの上面は例えば緑色に色づけされており、天板部５４ａの下面には、下方に延びるとともに下部ケース４０の円筒部４１内を貫通した軸部材５６が一体的に取り付けられ、キャップ５４Ａの軸線方向の移動とともに一体的に軸部材５６が移動する。
【００２６】
この軸部材５６の下部には、図９ないし図１１に示すように円筒状の回転部材１００が回転可能に取り付けられている。軸部材５６の下部である先端部５６Ａは回転部材１００の下面から下方に突出している。
【００２７】
回転部材１００の外周面１０１には、軸線に対して対称位置に一対の溝１０２，１０２が形成され、この溝１０２，１０２は、回転部材１００の上面から下面まで延びるとともにその周面１０１に沿って螺旋状に形成されている。溝１０２，１０２の上部の開口部１０２Ａ，１０２Ａの幅は広く形成されるとともに上にいくほど拡開しており、その開口部１０２Ａの下には上下方向に沿って直線状に形成された直線溝部１０２Ｂが形成されている。
【００２８】
回転部材１００の溝１０２，１０２の開口部１０２Ａ，１０２Ａ内には、下部ケース４０のアーム１４０，１４０の突起１４１，１４１が挿入されており、その突起１４１,１４１は溝１０２，１０２内に沿って相対移動可能となっている。そして、その突起１４１,１４１が溝１０２，１０２内に沿って相対移動可能となっていることにより、軸部材５６が上下動するとその上下動に応じて回転部材１００が回転していくようになっている。
【００２９】
叩き部材６０は、図６に示すように、平板状の基板６１に複数の叩きリブ６２を設けたものである。
【００３０】
カバーケース７０は、図７に示すように、蓋ケース２１の裏面に取り付けられているとともに基板６１（図６参照）を覆っている。また、カバーケース７０には複数のスリット状の孔７１が形成され、この孔７１から叩き部材６０の叩きリブ６２が図３に示すように下方へ突出している。また、叩き部材６０はカバーケース７０に対して図３に示す位置から上方へ移動可能となっている。
【００３１】
［動  作］
次に、上記のように構成される電気掃除機の動作について説明する。
【００３２】
電動送風機１３が停止しているときには、図３に示す叩打装置３０の負圧室５１が大気圧となっており、またスプリングＳＰの付勢力により隔壁５０は図３に示す位置に位置している。この状態では、キャップ５４Ａの天板部５４ａが表示ケース３１から離間しているので、半透明な表示ケース３１を通してキャップ５４Ａの天板部５４ａは見にくいものとなっている。
【００３３】
また、叩き部材６０の叩きリブ６２は、図３および図７に示すようにカバーケース７０の孔７１から突出している。
【００３４】
この状態で、手元操作管１７の操作スイッチＳａの操作により電動送風機１３が駆動されると集塵室１２が負圧となる。この負圧が集塵ホース１５,手元操作管１７,延長管１８を介して吸込口体２０の吸込室（図示せず）に作用し、吸込口体２０の底面の吸込室の吸込開口（図示せず）から被清掃面上の塵埃及び空気が吸い込まれ、延長管１８,手元操作管１７,集塵ホース１５を介して掃除機本体１１の集塵室１２へ吸い込まれていく。
【００３５】
集塵室１２へ吸い込まれた塵埃は集塵室１２内に装着された集塵フィルタ１９に捕集され、空気は電動送風機１３に吸い込まれた後に掃除機本体１１の図示しない排気孔から排気されていく。
【００３６】
一方、電動送風機１３の駆動により集塵室１２が負圧になると、図３に示す叩打装置３０の負圧室５１が負圧となる。この負圧により、隔壁５０は図８に示すように負圧室側５１である上方へスプリングＳＰの付勢力に抗して変位する。この隔壁５０の変位により、隔壁５０のキャップ部材５４が上方へ移動してキャップ５４Ａが表示ケース３１の筒部３２内に進入し、キャップ５４Ａの天板部５４ａが表示ケース３１に近接する。
【００３７】
この近接により、半透明な表示ケース３１を通してキャップ５４Ａの天板部５４ａが明瞭に見えることになり、叩打装置３０が集塵フィルタ１９を叩く準備段階に入ったことを使用者は認識することができる。
【００３８】
また、キャップ部材５４の軸部材５６がキャップ部材５４と一体に上方へ移動し、回転部材１００の溝１０２，１０２の開口部１０２Ａ，１０２Ａからその溝１０２，１０２内へ下部ケース４０のアーム１４０,１４０の突起１４１,１４１が挿入されていく。そして、軸部材５６の上方への移動とともに回転部材１００が軸部材５６に対して回転していくので、その軸部材５６の移動に支障を来すことはない。
【００３９】
そして、移動部材５６および回転部材１００は図８に示す位置へ移動し、下部ケース４０のアーム１４０,１４０の突起１４１,１４１が回転部材１００の溝１０２，１０２の下部の位置へ移動する。突起１４１,１４１は溝１０２，１０２から外れないように回転部材１００の高さが設定されている。
【００４０】
他方、集塵室１２へ吸い込まれる空気により集塵フィルタ１９は膨らみ、この集塵フィルタ１９が叩き部材６０を図８に示すように上方へ押し上げ、叩き部材６０の叩きリブ６２は、カバーケース７０の孔７１から引き込み、カバーケース７０内に入り込む。これにより、集塵フィルタ１９はカバーケース７０の下面に当接した状態となる。
【００４１】
電動送風機１３の駆動が停止されると、その電動送風機１３の停止動作にともない集塵室１２の圧力が上昇していき、最終的に大気圧になる。この際、叩打装置３０の負圧室５１も集塵室１２の圧力とともに上昇していき、叩打装置３０の大気圧室５２と負圧室５１との圧力差が減少していく。この圧力差の減少により隔壁５０を上に押し上げられる力が、スプリングＳＰの付勢力よりも小さくなると、隔壁５０は下方へ付勢されていく。
【００４２】
そして、隔壁５０はスプリングＳＰの付勢力により下方へ移動していき、隔壁５０の移動とともに軸部材５６が下方へ移動していく。
【００４３】
下部ケース４０のアーム１４０,１４０の突起１４１,１４１が回転部材１００の螺旋状の溝１０２，１０２内に挿入されていることにより、軸部材５６の下方への移動によってその突起１４１，１４１が溝１０２，１０２内を相対移動していき、この移動により回転部材１００が回転していく。この回転部材１００の回転により、軸部材５６の下方への移動速度が低減される。
【００４４】
そして、アーム１４０,１４０の突起１４１,１４１が溝１０２，１０２の直線溝部２０２Ｂに到達すると、回転部材１００の回転が停止される。さらに、軸部材５６の下方への移動により、その突起１４１,１４１が溝１０２，１０２から開口部１０２Ａ，１０２Ａ内に移動し、軸部材５６が回転部材１００とともに下方へ移動していく。
【００４５】
軸部材５６は、回転部材１００の回転が停止されることにより下方への移動速度が急激に増加して、回転部材１００とともに勢いよく叩き部材６０に衝突して叩き部材６０を下方へ押圧する。
【００４６】
この押圧により叩き部材６０の叩きリブ６２がカバーケース７０の孔７１から下方へ突出して、カバーケース７０の下面に当接した集塵フィルタ１９を叩くとともに、叩き部材６０に加わる衝撃が叩きリブ６２を介して集塵フィルタ１９に衝撃を与えることになり、集塵フィルタ１９に付着した塵埃を効率よく落とすことになる。
【００４７】
ところで、軸部材５６が下方へ移動開始してから、軸部材５６が叩き部材６０に衝突するまでに、回転部材１００が回転することによって時間がかかることになる。すなわち、軸部材５６が下方へ移動開始してから、軸部材５６が叩き部材６０に衝突するまでにタイムラグが発生することになる。このタイムラグの発生によって、軸部材５６が叩き部材６０に衝突するときには、電動送風機１３による塵埃吸引力が十分に低下している。このため、集塵フィルタ１９に付着した塵埃を効率よく落とすことができ、しかも、落とされた塵埃が再度集塵フィルタ１９に付着してしまうこともない。
【００４８】
また、電動送風機１３の駆動が停止される毎に叩打装置３０が動作して、集塵フィルタ１９に付着した塵埃を落としていくので、集塵フィルタ１９に付着した塵埃を十分に落とすことができる。
【００４９】
上記実施例では、叩打装置３０で集塵フィルタ１９に付着した塵埃を落とすようにしたが、例えば二次フィルタに付着した塵埃を落とすようにしてもよい。
【図面の簡単な説明】
【００５０】
【図１】この発明に係る電気掃除機の外観を示した斜視図である。
【図２】掃除機本体の一部を断面にした部分断面図である。
【図３】叩打装置の構成を示した断面図である。
【図４】表示ケースの裏面を示した平面図である。
【図５】下部ケースを示した平面図である。
【図６】叩き部材を示した斜視図である。
【図７】カバーケースを示した斜視図である。
【図８】隔壁が変位した状態を示した叩打装置の断面図である。
【図９】叩打装置の回転部材を示した斜視図である。
【図１０】図９に示す回転部材を示した側面図である。
【図１１】図９に示す回転部材の断面図である。
【符号の説明】
【００５１】
１２      集塵室
１３      電動送風機
１９      集塵フィルタ
５０      隔壁
５１      負圧室
５２      大気圧室
５６      軸部材
６０      叩き部材
１００    回転部材
【図１】
2007130292.tif 000003
【図２】
2007130292.tif 000004
【図３】
2007130292.tif 000005
【図４】
2007130292.tif 000006
【図５】
2007130292.tif 000007
【図６】
2007130292.tif 000008
【図７】
2007130292.tif 000009
【図８】
2007130292.tif 000010
【図９】
2007130292.tif 000011
【図１０】
2007130292.tif 000012
【図１１】
2007130292.tif 000013